(57)【要約】【課題】レベル調整プレートを必要に応じた大きさに分断する。【解決手段】略Ｖ字状に形成され、切欠き底２ａとレベル調整プレート本体１の底面１ｂとの間を薄肉と成る様に形成した分断用切欠き溝２を設け、必要に応じ、何らの道具を使うことなく、応力が集中する切欠き底２ａにより薄肉と成した部位３を裂開させて本体１を複数に分断する。【選択図】        図３
2004211510.tif 000002
【特許請求の範囲】
【請求項１】
切欠き底により薄肉と成した部位を形成する様にした分断用切欠き溝を設けたことを特徴とするコンクリート製品のレベル調整プレート。
【請求項２】
分断用切欠き溝は、略Ｖ字状に形成され、切欠き底と本体底面との間を薄肉に形成したことを特徴とする請求項１記載のコンクリート製品のレベル調整プレート。
【請求項３】
分断用切欠き溝は、略Ｖ字状にして上下の夫々に形成され、上下の切欠き底同士を対応させて切欠き底同士間を薄肉に形成したことを特徴とする請求項１記載のコンクリート製品のレベル調整プレート。
【請求項４】
分断用切欠き溝で区分された本体上面の夫々に断面薄肉状の凸部を設けると共に、該凸部に対応する本体底面に凸部を嵌合する凹部を設けたことを特徴とする請求項１、２又は３のコンクリート製品のレベル調整プレート。
【発明の詳細な説明】
【０００１】
【発明の属する技術分野】
本発明は、側溝、ボックスカルバート等のコンクリート製品の設置面適所に配置するレベル調整プレートに関するものである。
【０００２】
【従来の技術】
従来、上記コンクリート製品を現場で敷設する際、コンクリートを打ち込んで設置面と成し、その上にコンクリート製品を敷設しているが、その設置面は不陸があるため、コンクリート製品下部に所定肉厚の矩形板状のプレートを１枚又は適宜枚数積み重ねてレベル調整していた（例えば、特許文献１参照）。
【０００３】
【特許文献１】
特開平４−３４１４３号公報（図１、４）
【０００４】
【発明が解決しようとする課題】
しかしながら、上記プレートは一様な大きさのため、コンクリート製品の大きさによっては、これを載置するには大き過ぎたりする場合が多々あり、この様な場合、コンクリート製品の設置面におけるプレートの配置状態（プレートの向き）を設置箇所毎に横に向けたり、縦に向けたりなどせねばならず、これによりその作業が煩雑となって作業効率が悪いといった課題を有していた。
【０００５】
【課題を解決するための手段】
本発明は、上記課題に鑑み、略Ｖ字状に形成され、切欠き底と本体底面との間を薄肉と成る様に形成した分断用切欠き溝、又は、略Ｖ字状にして上下の夫々に形成され、上下の切欠き底同士を対応させて切欠き底同士間を薄肉と成る様に形成した分断用切欠き溝を設けたレベル調整プレートを提供し、必要に応じ、何らの道具を使うことなく、応力が集中する切欠き底により薄肉と成した部位を裂開させてレベル調整プレートを複数に分断する様にして、上記課題を解決する。
【０００６】
【発明の実施の形態】
以下本発明の一実施例を図面に基づいて説明する。
本発明に係るレベル調整プレートの本体１は、ポリプロピレン等の硬質合成樹脂製で肉厚が均一な矩形板状に形成されるものにして、肉厚の異なる複数種の本体１から単独に選択したものを使用するか、若しくは、同肉厚又は異なる肉厚を有する本体１を適宜に組み合わせて複数枚選択したものを積み重ねて所望する高さにして使用する。
又、本体１は、応力が集中する切欠き底２ａにより薄肉と成した部位３（以下、薄肉部位３とも称する。）を形成する様にした分断用切欠き溝２を設けて成り、必要に応じ切欠き底２ａに応力を集中させて薄肉部位３を裂開し、本体１を複数に分断できる様に成している。
【０００７】
図１〜５に示すレベル調整プレートは、長手方向中心線上に分断用切欠き溝２を凹設している。
分断用切欠き溝２は、略Ｖ字状に形成され、切欠き底２ａと本体１底面１ｂとの間を薄肉に形成し、薄肉部位３を設けている。
尚、図示例では、分断用切欠き溝２の長さ方向中間部分を廃して、本体１の短手方向前後に分離した分断用切欠き溝２を設けているが、本体１の短手方向全域に渡って分断用切欠き溝２を設けても良い。
又、分断用切欠き溝２は、上記形状のものに限定されることなく、図６に示す様に、上下の夫々に略Ｖ字状に切欠し、上下の切欠き底２ａ同士を対応させて切欠き底２ａ同士間を薄肉に形成して薄肉部位３を設けても良い。
【０００８】
分断用切欠き溝２で左右に区分された本体１上面１ａの夫々において、本体１の短手方向前後部位の夫々に凸部４を設け、又凸部４に対応する本体１底面１ｂに凹部５を設けている。
凸部４は断面薄肉円弧状に突設し、凹部５を凸部４の裏側へ到達する様に設け、該凸部４に上方より押圧力を加えると、その材質特性により凸部４は弾性屈曲して凹部５内へ凹む様に成している。
本体１の適所には、適宜形状の透孔６を多数設けており、この透孔６はコンクリート製品Ｗの設置面Ｇに本体１を釘止めするための釘孔と成しても良いが、必ずしも設ける必要はない。
【０００９】
次に、レベル調整プレートの変形例を図７〜１０に基づき説明する。
この変形例は、本体１の短手方向中心線上に別途分断用切欠き溝２を凹設したものであり、その他の構成は上記と同一のため、上記と同一又は相当部分には同じ符号を付し、説明は省略する。
当然ながら、分断用切欠き溝２は、図６に示す構成のものであっても良い。
尚、本体１には、上記に示す以外の分断用切欠き溝２を設け、本体１を上記の様に二分割又は四分割以外の複数に分割できる様に成しても良く、又本体１は、分断用切欠き溝２で区分される面積を同一にしているが、異にしても良い。
【００１０】
次に本発明に係るレベル調整プレートの作用について説明する。
先ずコンクリート製品Ｗに対応する設置面Ｇの要所に、所望する高さを得るため、適宜肉厚の本体１を１枚又は所定枚数積み重ねて設置する。
この時、コンクリート製品Ｗの大きさやその他の諸条件により、必要に応じ本体１を分断する。
本体１を分断する場合、切欠き底２ａの軸線に沿って本体１を折り曲げる様にして分離する。
この様に、本体１を折り曲げると、Ｖ字状に切欠された分断用切欠き溝２の切欠き底２ａに応力が集中すると共に、切欠き底２ａにより薄肉と成した部位３に亀裂を生じ、これにより本体１は切欠き底２ａを境界として分離される。
分離は図１に示す本体１では当然二分され、図７に示す本体１では、本体１の縦方向又は横方向に二分、若しくは、四分することができる。
本体１又は本体１を分断した分割体の積み重ねにあっては、本体１又は各分割体（以下、本体１等と称する。）の上下に少なくとも一組の凸部４及び凹部５を有しており、下側の本体１等の凸部４を上側の本体１等の凹部５に嵌合することにより、上下の本体１等を強固に接合することで成し得る。
尚、本体１等の設置面Ｇへの設置は、その設置箇所に単に本体１等を載置するか、透孔６に通した釘を打ち込んで本体１等を固定する。
本体１等の設置後、その上面にコンクリート製品Ｗを載置する。
本体１等にコンクリート製品Ｗを載置した時には、コンクリート製品Ｗに直接接触する本体１等の最上面の凸部４がコンクリート製品Ｗの荷重により凹部５内へ凹む。
この後、設置面Ｇとコンクリート製品Ｗとの間にモルタルを流し込み、コンクリート製品Ｗの設置状態を安定させ、次にコンクリート製品Ｗに連続する他のコンクリート製品Ｗを同様な作業手順にて施工する。
尚、図１１に分断していない本体１の一使用例として、コンクリート製品Ｗの連結部分を跨がる様に本体１を設置した状態を示したが、かかる使用例に何ら限定されない。
【００１１】
【発明の効果】
要するに本発明は、切欠き底２ａにより薄肉と成した部位３を形成する様にした分断用切欠き溝２を設けたので、薄肉部位３を切欠き底２ａに沿って本体１を単に折り曲げることにより、何らの道具を要することなく、本体１を簡単容易に分断できるため、本体１を必要に応じた大きさに分割使用でき、従来の不具合を解消してコンクリート製品Ｗの敷設作業の効率化を図ることが出来る。
【００１２】
分断用切欠き溝２は、略Ｖ字状に形成され、切欠き底２ａと本体１底面１ｂとの間を薄肉に形成したので、本体１の分断に際し、本体１を切欠き底２ａに沿って折り曲げる時に、切欠き底２ａに応力を集中させられ、切欠き底２ａを設けた薄肉部位３を難無く裂開させて本体１を切欠き底２ａに沿って分断できる。
【００１３】
分断用切欠き溝２は、略Ｖ字状にして上下の夫々に形成され、上下の切欠き底２ａ同士を対応させて切欠き底２ａ同士間を薄肉に形成したので、より一層切欠き底２ａに応力集中させられ、切欠き底２ａ同士間の薄肉部位３を極めて簡単に裂開させ、本体１を分断できる。
【００１４】
分断用切欠き溝２で区分された本体１上面１ａの夫々に断面薄肉状の凸部４を設けると共に、該凸部４に対応する本体１底面１ｂに凸部４を嵌合する凹部５を設けたので、本体１又は本体１を分断した各分割体の上下には必ず凸部４及び凹部５を有しており、本体１等を積み重ねる場合において、下側の凸部４を上側の凹部５に嵌合することにより、本体１等を接合一体化でき、コンクリート製品Ｗの載置によってその積み重ねが崩れることがないため、レベル調整作業を容易にして確実に行える。
又、凸部４を断面薄肉状と成したので、本体１等にコンクリート製品Ｗを載置した時に、凸部４が凹んでコンクリート製品Ｗを載置した状態を良好と成すことができる等その実用的効果甚だ大である。
【図面の簡単な説明】
【図１】レベル調整プレートの平面図である。
【図２】図１の底面図である。
【図３】図１の正面図である。
【図４】図１のＡーＡ断面図である。
【図５】レベル調整プレートの積み重ね状態の一例を示す断面図である。
【図６】分断用切欠き溝の変形例を示す断面図である。
【図７】レベル調整プレートの変形例を示す平面図である。
【図８】図７の底面図である。
【図９】図７の側面図である。
【図１０】図７のＢーＢ断面図である。
【図１１】使用状態を示す断面図である。
【符号の説明】
１  本体
１ａ  上面
１ｂ  底面
２  分断用切欠き溝
２ａ  切欠き底
３  薄肉と成した部位
４  凸部
５  凹部
【図１】
2004211510.tif 000003
【図２】
2004211510.tif 000004
【図３】
2004211510.tif 000005
【図４】
2004211510.tif 000006
【図５】
2004211510.tif 000007
【図６】
2004211510.tif 000008
【図７】
2004211510.tif 000009
【図８】
2004211510.tif 000010
【図９】
2004211510.tif 000011
【図１０】
2004211510.tif 000012
【図１１】
2004211510.tif 000013